(57)【特許請求の範囲】
【請求項１】
プリント配線基板上に設けられた絶縁材からなるコネクタハウジングと、該コネクタハウジングに備えられたターミナル突出溝から相手側電気接続用接触部の押し付けにより弾性変形する弾性接触片部を突出させて前記コネクタハウジングに備えられたターミナル収容穴内に収容されたコネクタターミナルとを備え、該コネクタターミナルには、前記コネクタハウジングに固定され前記コネクタハウジングの底部から立ち上がる固定片部と、該固定片部に対して弾性を有するように該固定片部の上端から下向きに折り返した状態に形成された弾性バネ片部と、該弾性バネ変部の固定片部とは反対側の端部を上向き且つ固定片部とは反対側に、該弾性バネ片部に対して弾性を有するように折り返した状態に形成された前記弾性接触片部と、前記固定片部の他端側に一体に形成された端子片部とを有する押し当て式コネクタにおいて、
前記ターミナル収容穴は、前記コネクタハウジングの底面に開口され、
該底面の開口は、前記プリント配線基板によって閉鎖され、
前記ターミナル突出溝は、前記コネクタハウジングの相手側電気接続用接触部の押し付け側面に、前記コネクタハウジングの底面まで開口されて前記ターミナル収容穴の開口と連続し、該ターミナル収容穴と連通するように設けられ、
前記コネクタターミナルは、前記固定片部に、前記弾性バネ片部側に突出し、前記コネクタターミナルが相手側電気接続用接触部の押し付け方向に弾性変形させられた際に、前記弾性バネ片部の背面に当接し、前記弾性バネ片部がプリント配線基板と接触するのを防止する変位規制片部を備えたことを特徴としてなる押し当て式コネクタ。
【請求項２】
変位規制片部は、切り起こし加工によって固定片部より立ち上げられた請求項１に記載の押し当て式コネクタ。
【発明の詳細な説明】
【０００１】
【発明の属する技術分野】
本発明は、主に携帯電話やその他携帯電気機器のバッテリー接続用等に用いられる押し当て式コネクタに関する。
【０００２】
【従来の技術】
従来、携帯電話機やその他の携帯電気機器は、機器を動作させる主電源として内部にバッテリーパックを内蔵し、このバッテリーパックと機器本体との電気的接続には、機器本体のプリント配線基板上に実装されたコネクタによって行っており、このコネクタとして図６に示す構造の押し当て式コネクタが用いられている。
【０００３】
この押し当て式コネクタ１は、合成樹脂等の絶縁材からなるコネクタハウジング２と、コネクタハウジング２の一面から相手側電気接続用接触部、即ちバッテリーパック３の電極部３ａを押し付けることによって弾性変形する弾性接触片部４を突出させてコネクタハウジング２に収容されたコネクタターミナル５とを備え、弾性接触片部４に対して電極３ａを、バッテリーパック３を回動させながら押し付けることによって電気的接続がなされるようになっている。
【０００４】
このコネクタターミナル５は、コネクタハウジング２に固定される固定片部６と、固定片部６の一端側に折り返した状態に支持され、弾性接触片部４を他端側に折り返した状態に支持する弾性バネ片部７と、固定片部６の他端側に支持された端子片部８とを有し、端子片部８が機器本体のプリント配線基板９のパターン端子に半田付けなどにより電気的接続されるようになっている。
【０００５】
【発明が解決しようとする課題】
しかし、上述のような従来の技術では、バッテリーパック３を回動させながらコネクタターミナル５に押し付けた際に、弾性バネ片部７には水平方向及び鉛直方向の力が作用し、弾性バネ片部と弾性接触片部との連結部分７ａの位置は、鉛直方向の力によって基板側に向かって変位する。この場合に弾性バネ片部７と弾性接触片部４との連結部分７ａが基板９と接触すると、基板上の回路と短絡する等の電気的障害の原因となるとともに、接触することによりコネクタターミナルが変形するという障害も発生する原因となるので、弾性接触片部−弾性バネ片部連結部分７ａとプリント配線基板９との間には十分なクリアランスを設ける必要があり、コネクタ全体として小型化ができないという問題があった。
【０００６】
一方、上記問題を解決するものとして、弾性接触片部−弾性バネ片部連結部分と基板との間に絶縁材からなる隔離部材を設けるものがあるが、部品点数及び組立工数が増えるので、コストが増加するという問題があった。
【０００７】
本発明は、このような従来の技術の状況を鑑み、小型化が可能で且つ安価な押し当て式コネクタの提供を目的とする。
【０００８】
【課題を解決するための手段】
上述の如き従来の問題を解決し、所期の目的を達成するための請求項１の発明は、プリント配線基板上に設けられた絶縁材からなるコネクタハウジングと、該コネクタハウジングに備えられたターミナル突出溝から相手側電気接続用接触部の押し付けにより弾性変形する弾性接触片部を突出させて前記コネクタハウジングに備えられたターミナル収容穴内に収容されたコネクタターミナルとを備え、該コネクタターミナルには、前記コネクタハウジングに固定され前記コネクタハウジングの底部から立ち上がる固定片部と、該固定片部に対して弾性を有するように該固定片部の上端から下向きに折り返した状態に形成された弾性バネ片部と、該弾性バネ変部の固定片部とは反対側の端部を上向き且つ固定片部とは反対側に、該弾性バネ片部に対して弾性を有するように折り返した状態に形成された前記弾性接触片部と、前記固定片部の他端側に一体に形成された端子片部とを有する押し当て式コネクタにおいて、前記ターミナル収容穴は、前記コネクタハウジングの底面に開口され、該底面の開口は、前記プリント配線基板によって閉鎖され、前記ターミナル突出溝は、前記コネクタハウジングの相手側電気接続用接触部の押し付け側面に、前記コネクタハウジングの底面まで開口されて前記ターミナル収容穴の開口と連続し、該ターミナル収容穴と連通するように設けられ、前記コネクタターミナルは、前記固定片部に、前記弾性バネ片部側に突出し、前記コネクタターミナルが相手側電気接続用接触部の押し付け方向に弾性変形させられた際に、前記弾性バネ片部の背面に当接し、前記弾性バネ片部がプリント配線基板と接触するのを防止する変位規制片部を備えたことを特徴とする。
【０００９】
このように構成することによって、プリント配線基板と弾性バネ片部との間のクリアランスを小さくすることができ、コネクタ全体として小型化が可能となる。
【００１０】
請求項２の発明は、請求項１の構成に加えて、変位規制片部が切り起こし加工によって固定片部より立ち上げられたことを特徴とする。
【００１１】
このようにすることによって、切り起こし加工によりターミナルと一体加工できるので、部品点数の増加もなく、安価に製造することができ、更に接触バネ部と変位規制片部との接触も好適に行うことができる。
【００１２】
【発明の実施の形態】
次に、本発明に係る押し当て式コネクタの実施の形態を図について説明する。
【００１３】
図１は押し当て式コネクタの実施形態の一例を示し、符号１０は押し当て式コネクタであり、１１は携帯電話等のプリント配線基板である。
【００１４】
押し当て式コネクタ１０は、携帯電話やその他の携帯電気機器等のバッテリー接続等に用いられ、コネクタハウジング１２より突出したコネクタターミナル１３の弾性接触片部１４に相手側電気接続用接触部であるバッテリー１５の電極１５ａを押し当てることによって、基板上に取り付けられたコネクタ１０を介して、機器本体を構成するプリント配線基板１１とバッテリー１５とを電気的に接続させるようになっている。
【００１５】
この押し当て式コネクタ１０は、コネクタハウジング１２と、コネクタハウジング１２内に収容されるコネクタターミナル１３，１３…とを備えている。
【００１６】
コネクタハウジング１２は、合成樹脂等の絶縁材により直方体状に形成され、その底面に開口されてコネクタターミナル１３が挿入される複数のターミナル収容穴１６，１６…が設けられている。このコネクタハウジング１２の底面の開口が、プリント配線基板１１によって閉鎖されている。
【００１７】
また、コネクタハウジング１２には、ターミナル収容穴１６と連通したターミナル突出溝１７が平行配置に設けられ、該突出溝１７から弾性接触片部１４がコネクタハウジング１２の外側に突出するようになっている。このターミナル突出溝１７は、コネクタハウジング１２の底面に至るまで開口されてターミナル収容穴１６の開口と連続し、ターミナル収容穴１６と連通するように形成されている。
【００１８】
コネクタターミナル１３は、銅合金等の導電性金属からなる板状材を打抜加工及び折曲加工することにより、固定片部１８、弾性バネ片部１９、弾性接触片部１４及び端子片部２０が一体に形成されている。
【００１９】
固定片部１８は、平板状に形成され、その両側縁には抜け止め突片２１，２１…が一体に形成されており、ターミナル収容穴１６内に形成された固定用溝２２に嵌り込み抜け止め突片２１が固定用溝２２の肉厚部と係合して抜け止めがされるようになっている。
【００２０】
また、固定片部１８の略中央部分には、弾性バネ片部側に突出した変位規制片部２３が形成されている。
【００２１】
この変位規制片部２３は、図４（ｃ）に示すように、固定片部１８の中央部分に変位規制片部２３の外形３辺に沿って切り込み２４を入れ、該切り込み部分を弾性バネ片部側に折曲して立ち上げることによって形成される。また、変位規制片部２３の先端部分２３ａは、円弧状に曲折されている。
【００２２】
弾性バネ片部１９は、コネクタハウジングの底部から立ち上がる固定片部１８の上端から下向きに固定片部１８に対して折り返した状態に形成され、固定片部１８に対して弾性を有するようになっている。
【００２３】
弾性接触片部１４は、弾性バネ片部１９の他端側、即ち、固定片部１８とは反対側の端部１９ａに、弾性バネ片部１９に対して、上向き且つ固定片部とは反対側に折り返した状態に形成され、弾性バネ片部１９に対して弾性を有するようになっている。この弾性接触片部１４には、く字状に折曲して接触部２５が形成されている。また、先端部分には両側部に張り出して抜け止め規制片２６，２６が突出されている。
【００２４】
抜け止め規制片２６は、弾性接触片部１４に鉛直方向の力が作用すると、ターミナル突出溝１７の両側部内面に当接され、弾性接触片部１４の先端部がコネクタハウジング１２の相手側面より抜け出ないようになっている。即ち、鉛直方向に力が掛かった弾性接触片部１４は、抜け止め規制片２６に規制されて鉛直方向に変位するようになっている。
【００２５】
端子片部２０は、固定片部１８の他端側に形成され、プリント配線基板１１のプリント配線端子１１ａに半田付け等により接続されるようになっている。
【００２６】
このコネクタターミナル１３は、弾性バネ片部１９及び弾性接触片部１４が固定片部１８に対して、上述のように配置されたことによって、弾性接触片部１４にバッテリーパック１５が押し付けられると、弾性バネ片部１９は、弾性接触片部１４の弾性変形と連動して弾性変形するようになっており、所定の距離変位すると、図５に示すように、弾性バネ片部１９の背面が変位規制片部２３の先端部２３ａに当接し、鉛直方向の変位が規制されるようになっている。
【００２７】
この押し当て式コネクタ１０は、このように変位規制片部２３によって弾性バネ片部１９の変位を規制するので、弾性バネ片部の端部１９ａとコネクタハウジング１２の基板底面１２ａとの間の距離を短くしても弾性バネ片部１９と基板１１とが干渉、即ち接触することが無く、従って、基板上のパターンと導通してしまったり、接触により変形してしまったりすることがない。
【００２８】
尚、上述の実施例では、携帯電話やその他携帯電気機器のバッテリー接続用として本発明に係る押し当て式コネクタを用いた例について説明したが、本発明に係る押し当て式コネクタは、その他の電気接続に用いる場合にも適用することができる。
【００２９】
【発明の効果】
上述のように、本発明に係る押し当て式コネクタは、コネクタターミナルの固定片部に変位規制片部を設けたことによって、必要以上の弾性バネ片部の変位を規制するので、弾性バネ片部とコネクタハウジングの基板底面との間のクリアランスを小さくすることができ、コネクタ全体として、小型化が可能となる。
【００３０】
また、変位規制片部を切り起こし加工によって一体形成すれば、部品点数及び組み立て工数が増えることがなく安価である。
【００３１】
更には、弾性バネ片部と変位規制片部とが接触することによってターミナルの導体抵抗値を小さくすることができる。
【図面の簡単な説明】
【図１】本発明に係る押し当て式コネクタの実施の一例を示す斜視図である。
【図２】図１中の押し当て式コネクタを示す底面図である。
【図３】同上の縦断面図である。
【図４】（ａ）は図２中のコネクタターミナルを示す側面図、（ｂ）は同正面図、（ｃ）は同底面図である。
【図５】ターミナルの変形状態を示す縦断面図である。
【図６】従来の押し当て式コネクタを示す縦断面図である。
【符号の説明】
１０ 押し当て式コネクタ
１１ プリント配線基板
１２ コネクタハウジング
１３ コネクタターミナル
１４ 弾性接触片部
１５ 相手側電気接続用接触部（バッテリーパック）
１５ａ 電極
１６ ターミナル収容穴
１７ ターミナル突出溝
１８ 固定片部
１９ 弾性バネ片部
２０ 端子片部
２１ 抜け止め突片
２２ 固定用溝
２３ 変位規制片部
２３ａ 先端部
２４ 切り込み
２５ 接触部
２６ 抜け止め規制片
【図１】
0004032381.tif 000002
【図２】
0004032381.tif 000003
【図３】
0004032381.tif 000004
【図４】
0004032381.tif 000005
【図５】
0004032381.tif 000006
【図６】
0004032381.tif 000007